(57)【特許請求の範囲】
【請求項１】
屋根部の上面に沿って太陽電池モジュールが複数設けられた太陽電池モジュール付き屋根の構造において、
前記屋根部の上面には、前記複数の太陽電池モジュールの間に配設されるとともに、前記太陽電池モジュールの保守点検作業の際に作業者が通行するための保守点検作業用通路が設けられており、
前記保守点検作業用通路の長手方向に沿う縁部には、支持レールが前記長手方向に連続して設けられ、前記保守点検作業用通路に隣接する太陽電池モジュールが前記支持レールに支持されており、
前記保守点検作業用通路は、底板部と、該底板部の両側縁部に接合される前記支持レールとから構成されるとともに、これら底板部の表面と支持レールの対向する内側面とで凹状に形成されており、
前記支持レールは、この支持レールの下端部に一体的に設けられるとともに、前記底板部に向かって突出して、該底板部の側端部に当接する突出部を備えていること
を特徴とする太陽電池モジュール付き屋根の構造。
【請求項２】
請求項１記載の太陽電池モジュール付き屋根の構造において、
前記屋根部の上面には棟側から軒先側に向けて屋根勾配が付けられ、
この屋根勾配が付けられた屋根部の上面には、前記複数の太陽電池モジュールを軒先側から棟側に向けて前記屋根勾配に沿うように並べることで構成された太陽電池モジュールの列が棟方向に所定間隔をあけて複数配設され、
前記保守点検作業用通路は、前記屋根勾配に沿うように、かつ前記複数の太陽電池モジュールの列の間に挟まれた状態で設けられていること
を特徴とする太陽電池モジュール付き屋根の構造。
【請求項３】
請求項１または２に記載の太陽電池モジュール付き屋根の構造において、
前記保守点検作業用通路の表面には、その全面に渡って凸部が形成されていること
を特徴とする太陽電池モジュール付き屋根の構造。
【請求項４】
請求項３に記載の太陽電池モジュール付き屋根の構造において、
前記保守点検作業用通路の表面に形成された凸部は、所定間隔で互いに平行に形成された複数の突条または所定間隔で形成された複数の突起であること
を特徴とする太陽電池モジュール付き屋根の構造。
【請求項５】
請求項１〜４のいずれかに記載の太陽電池モジュール付き屋根の構造において、
前記保守点検作業用通路は、断面視凹状に形成され、両側の立ち上がり部の内側面に滑り止め用の丸棒状の軸材が、前記保守点検作業用通路の長手方向に所定間隔で複数掛け渡されており、
この軸材と前記保守点検作業用通路の底板部の表面との間は、前記保守点検作業用通路を長手方向に連通させる連通部とされていること、
を特徴とする太陽電池モジュール付き屋根の構造。
【請求項６】
請求項１〜５のいずれかに記載の太陽電池モジュール付き屋根の構造において、
太陽電池モジュールの上面を構成している太陽電池保護板の表面には、その全面に渡って所定間隔で互いに平行な複数の突条または所定間隔で形成された複数の突起が形成されていること
を特徴とする太陽電池モジュール付き屋根の構造。
【請求項７】
請求項１〜６のいずれかに記載の太陽電池モジュール付き屋根の構造において、
前記太陽電池モジュールの上方には、横レール部が屋根の軒先と平行に設けられていること
を特徴とする太陽電池モジュール付き屋根の構造。
【請求項８】
請求項１〜７のいずれかに記載の太陽電池モジュール付き屋根の構造において、
前記屋根部には、この屋根部の棟側から軒先側に向けて屋根勾配が付けられており、
前記複数の太陽電池モジュールは棟方向に複数並べて配設されており、
棟方向に隣り合う太陽電池モジュールの間には、これら隣り合う太陽電池モジュールどうしを接続する接続レール部が前記屋根勾配に沿うように設けられており、
この接続レール部の表面には、その全面に渡って凸部が形成されていること
を特徴とする太陽電池モジュール付き屋根の構造。
【発明の詳細な説明】
【０００１】
【発明の属する技術分野】
本発明は、屋根面に太陽電池モジュールが取り付けられた、太陽電池モジュール付き屋根の構造に関するものである。
【０００２】
【背景の技術】
例えば、住宅の一つの形態として、太陽光発電システムを備えた住宅がある。この太陽光発電システムとは、住宅の屋根の上面に複数の太陽電池モジュールを設置し、この太陽電池モジュールの太陽電池によって発電した直流の電力をインバータで交流に変換することによって、照明や空調などの生活資源として使用するシステムである。
【０００３】
上述した太陽電池モジュールが設置された屋根を有する住宅として、例えば、特開平１０−１８３９１５号に示すものがある。
この特開平１０−１８３９１５号における屋根は、建物本体の上に傾斜して設置された屋根面材と、この屋根面材により形成される傾斜した屋根面に沿って配列された複数の太陽電池モジュールとを備えている。また、この太陽電池モジュールは、屋根の上面に、傾斜方向に沿って敷設された複数のレール状の支持部材により支持されている。
【０００４】
また、特開平１０−２６６４９８号公報には、屋根の棟側と軒先側に、それぞれと平行に横桟材を設け、これら横桟材間の屋根面に太陽電池モジュールが配設された屋根の構造において、これら横桟材間に踏み板を架設し、該踏み板が太陽電池モジュールの上方に配置した状態にして、この踏み板上で太陽電池モジュールの保守・点検作業を行うといった技術が開示されている。
【０００５】
【発明が解決しようとする課題】
ところで、特開平１０−１８３９１５号のように複数の太陽電池モジュールが屋根面を構成していたり、また屋根上に複数の太陽電池モジュールが敷設された構成の屋根において、これら太陽電池モジュールの保守・点検を行う場合は、通常メンテナンスのスペース、例えば、足場等を設けてから行うことになり手間が掛かる。また、高所作業になるため太陽電池モジュールの保守点検作業を容易に行うことができず、屋根面に勾配が付けられている場合、安全を確保しながら作業を行うため一層手間がかかる。
また、特開平１０−２６６４９８号公報の技術では、作業の際、まず前記踏み板を架設して作業スペースを確保しなければならず、上述した特開平１０−１８３９１５号に開示のものと同様に太陽電池モジュールの保守点検作業前に手間が掛かる。
【０００６】
本発明は、上記事情を鑑みてなされたもので、その目的は、屋根に設けられた太陽電池モジュールの保守点検（メンテナンス）作業を、始めに作業スペースを設けることなく容易に行うことができる太陽電池モジュール付き屋根の構造を提供することにある。また、その保守・点検作業を安全に行うことができる太陽電池モジュール付き屋根の構造を提供することにある。
【０００７】
【課題を解決するための手段】
以上の課題を解決すべく請求項１記載の発明は、例えば、図２に示すように、屋根部３の上面３１に沿って太陽電池モジュール５が複数設けられた太陽電池モジュール付き屋根の構造において、
前記屋根部３の上面には、前記複数の太陽電池モジュール５…の間に配設されるとともに、前記太陽電池モジュール５の保守点検作業の際に作業者が通行するための保守点検作業用通路７が設けられており、
前記保守点検作業用通路７の長手方向に沿う縁部７１ｂ，７１ｃには、支持レール９，９Ａが前記長手方向に連続して設けられ、前記保守点検作業用通路７に隣接する太陽電池モジュール５…が前記支持レール９，９Ａに支持されており、
前記保守点検作業用通路７は、底板部７１と、該底板部７１の両側縁部に接合される前記支持レール９，９Ａとから構成されるとともに、これら底板部７１の表面７１ａと支持レール９，９Ａの対向する内側面とで凹状に形成されており、
前記支持レール９，９Ａは、この支持レール９，９Ａの下端部に一体的に設けられるとともに、前記底板部７１に向かって突出して、該底板部７１の側端部に当接する突出部を備えているものである。
【０００８】
前記屋根部３は、前記太陽電池モジュール５および前記保守点検作業用通路７等とともに屋根１を構成するものであり、どのように構成されていてもよく、例えば上面に前記太陽電池モジュール５および保守点検作業用通路７を設けることができる垂木を用いて構成されていたり、また、縦横の桟材を矩形枠状に組んで形成した枠体と、この枠体の表面に合板などの面材を貼着して構成された屋根パネルを敷設することによって構成されていてもよい。つまり、太陽電池モジュール付き屋根は、前記太陽電池モジュールが屋根の上面となっている構成のように、建物の躯体の屋根部分の一部として構成されているものも含む。
【０００９】
前記太陽電池モジュール５とは、太陽電池（ソーラーセル）の両面に強化ガラスやポリカーボネイト樹脂などからなる矩形の透明板（太陽電池の上面を保護する透明板を以下では、保護板という。）でラミネートして保護し、耐候性を持たせたものであって最小単位としてのモジュールサイズ（１モジュール×１モジュール）に構成されているものである。この太陽電池モジュールが設けられている屋根には、前記太陽電池モジュールが複数配設されていてもよい。また、この太陽電池モジュールの表面となる保護板の上面に、滑り止めとなる凸部が形成されていてもよく、このように保護板の上面に凸部が形成されていれば、太陽電池モジュールの保守点検の作業を行う際に、保守点検作業者は太陽電池モジュール上を移動することができ、該太陽電池モジュール上で安全に作業を行うことができる。
【００１０】
前記保守点検作業用通路７は、太陽電池モジュールの保守点検作業を行う際に作業者が通行可能で、作業スペースとなるものであり所定の幅を有するように構成されている。ここでいう所定の幅とは、太陽電池モジュール５の保守点検作業者が通行可能となるような幅である。
この保守点検作業用通路７は、屋根の上面に設けられた太陽電池モジュールの保守点検作業の際に作業者が通行するためのもので、前記屋根の上面に設けられているものであり、前記太陽電池モジュールの上方に設けられているものではない。
【００１１】
請求項１記載の太陽電池モジュール付き屋根の構造にあっては、屋根部３の上面３１に、太陽電池モジュール５とともに、前記保守点検作業用通路７が設けられているので、前記太陽電池モジュール５の保守や点検作業を行う場合、前記保守点検作業用通路７を前記太陽電池モジュール５の保守点検作業者が通行でき、前記保守点検作業用通路７から容易に作業を行うことができる。したがって、屋根部３の上面３１に設けられた太陽電池モジュール５の保守点検作業を行う場合に、従来と異なり、例えば、踏み板を太陽電池モジュール上方に配置するといった手間がかかることがなく、予め屋根部３上面３１に設けられた前記保守点検作業用通路７に上がるだけで簡便に、かつ直ぐに前記太陽電池モジュール５の保守点検作業を行うことができる。
また、前記屋根部３の上面３１に沿って複数設けられた太陽電池モジュール５…間に前記保守点検作業用通路７が配設されているので、前記保守点検作業用通路７において、該保守点検作業用通路７の両側に位置する前記太陽電池モジュール５…の保守点検作業を行うことができる。したがって、前記保守点検作業用通路７において両側の前記太陽電池モジュール５…の保守点検作業を行う際に、１つの保守点検作業用通路７で複数の太陽電池モジュール５…の保守点検作業を行うことができ、複数の太陽電池モジュール５…の保守点検作業が簡易化し、該作業の迅速化を図ることができる。
さらに、前記保守点検作業用通路７の長手方向に沿う縁部７１ｂ，７１ｃには、前記保守点検作業用通路７に隣接する前記太陽電池モジュール５…が支持される支持レール９，９Ａが前記長手方向に連続的に設けられているので、前記支持レール９，９Ａにより前記太陽電池モジュール５…を該太陽電池モジュール５…の端部５ａ…で固定支持することができるとともに、前記支持レール９，９Ａによって該太陽電池モジュール５…と前記保守点検作業用通路７とが仕切られることになり前記屋根部３における太陽電池モジュール５の納まりがよい。また、意匠的にすっきりした太陽電池モジュール付き屋根となる。なお、支持レール９，９Ａが前記保守点検作業用通路７の長手方向に連続的に設けられているので、一度に複数の太陽電池モジュール５…の端部５ａ…を支持することができる。さらに、前記屋根部３に太陽電池モジュール５…を取り付ける際に、先に保守点検作業用通路７を設置すれば、前記支持レール９，９Ａが前記太陽電池モジュール５…の位置決め部材となり、前記屋根の構造を形成し易い。
【００１２】
なお、前記保守点検作業用通路７は太陽電池モジュール５に近接して設けられていることが好ましい。さらに好ましくは、太陽電池モジュール５に沿って、該太陽電池モジュール５に隣接して設けられていることが好ましい。このように保守点検作業用通路７から太陽電池モジュール５への距離が近くなるように構成されていれば、その距離が近い程太陽電池モジュールの保守点検作業が行い易くなる。さらに、この保守点検作業用通路７の表面７１ａが作業者の滑り止めとなるように凹凸状に形成されていれば、前記屋根部３の上面３１に勾配が付けられ、該屋根部３の上面３１に沿って前記太陽電池モジュール５が設けられていても、前記保守点検作業用通路７において、簡便かつ安全に前記太陽電池モジュール５の保守点検作業を行うことができる。
【００１６】
請求項２記載の発明は、請求項１記載の太陽電池モジュール付き屋根の構造において、例えば、図１に示すように、前記屋根部３の上面３１には棟側から軒先側に向けて屋根勾配が付けられ、この屋根勾配が付けられた屋根部３の上面３１には、前記複数の太陽電池モジュール５…を軒先側から棟側に向けて前記屋根勾配に沿うように並べることで構成された太陽電池モジュール５…の列Ｒが棟方向に所定間隔をあけて複数配設され、前記保守点検作業用通路７は、前記屋根勾配に沿うように、かつ前記複数の太陽電池モジュール５の列Ｒ…の間に挟まれた状態で設けられているものである。
【００１７】
請求項２記載の太陽電池モジュール付き屋根の構造にあっては、請求項１記載の発明と同様の効果を得ることができるとともに、前記複数の太陽電池モジュール５…を前記屋根部３の上面３１に軒先側から棟側に向けて前記屋根勾配に沿うように並べることで構成された太陽電池モジュールの列Ｒが棟方向に所定間隔をあけて複数配設され、前記保守点検作業用通路７が前記屋根勾配に沿うように、かつ、これら太陽電池モジュールの列Ｒ…間に挟まれた状態で設けられているので、屋根上で前記複数の太陽電池モジュール５…の保守点検作業を行うに際し、屋根において一番低い位置にある、軒先部分から前記保守点検作業用通路７…へ容易に上がることができる。したがって、太陽電池モジュール５…の保守点検作業を行う際、作業者は軒先から前記保守点検作業用通路７に容易に上がって前記太陽電池モジュール５…の保守点検作業を簡便に行うことができる。
【００２０】
請求項３記載の発明は、請求項１または２に記載の太陽電池モジュール付き屋根の構造において、例えば、図２に示すように、前記保守点検作業用通路７の表面７１ａには、その全面に渡って凸部７２…が形成されているものである。
【００２１】
請求項３記載の太陽電池モジュール付き屋根の構造にあっては、請求項１または２に記載の発明と同様の効果を得ることができるとともに、前記保守点検作業用通路７の表面７１ａには、その全面に渡って凸部７２が形成されているので、この保守点検作業用通路７で作業者が前記太陽電池モジュール５の保守点検作業を行う場合に、凸部７２が前記保守点検作業用通路７を通行する際の滑り止めとなり、作業者が前記凸部７２に足をかけることにより足を滑らすことがなく、安全に作業を行うことができる。
【００２２】
なお、前記凸部７２は滑り止めとなるように前記保守点検作業用通路７の表面７１ａの全面に渡って形成されているものであるならば、どのように形成されていてもよく、例えば、以下の請求項４に記載のように複数の突条或いは複数の突起としてもよい。また、一本の突条を前記保守点検作業用通路７の表面７１ａに、その全面に渡るように、前記保守点検作業用通路７の長手方向に交互に右、左と折れ曲がった形、つまり平面視してジグザグとなるように形成してもよい。また、この凸部は、エンボス加工により形成されていてもよいことは勿論である。
【００２３】
請求項４記載の発明は、請求項３に記載の太陽電池モジュール付き屋根の構造において、例えば、図２に示すように、前記保守点検作業用通路７の表面に形成された凸部７２は、所定間隔で互いに平行に形成された複数の突条７２…または所定間隔で形成された複数の突起であるものである。
【００２４】
請求項４記載の太陽電池モジュール付き屋根の構造にあっては、請求項３に記載の発明と同様の効果を得ることができるとともに、前記保守点検作業用通路７の表面７１ａに形成された凸部７２は、その全面に渡って形成された前記複数の突条７２…あるいは所定間隔で形成された前記複数の突起であるので、前記保守点検作業用通路７で前記太陽電池モジュール５の保守点検作業を行う場合、前記複数の突条７２…または複数の突起に作業者が足を容易に引っかけることができ、これらが滑り止めとなって作業者は安全に作業を行うことができる。また、前記保守点検作業用通路７が設けられている屋根に勾配が付けられていても安全に作業者は前記保守点検作業用通路７を安全に通行して作業を行うことができる。
【００２５】
また、前記保守点検作業用通路７で、道具等を用いて太陽電池モジュール５の保守点検作業を行う場合、道具を誤って落としても、前記突条７２または突起に係止されることになり屋根の下には落ちにくくなる。したがって、前記突条または前記突起に係止された道具などを拾って直ぐに作業の再開を行うことができる。
【００２６】
請求項５記載の発明は、請求項１〜４のいずれかに記載の太陽電池モジュール付き屋根の構造において、例えば、図５に示すように、前記保守点検作業用通路２０は、断面視凹状に形成され、両側の立ち上がり部２４，２４の内側面２４ａ，２４ａに滑り止め用の丸棒状の軸材２５…が、前記保守点検作業用通路２０の長手方向に所定間隔で複数掛け渡されており、
この軸材２５…と前記保守点検作業用通路２０の底板部２１の表面２１ｃとの間は、前記保守点検作業用通路２０を長手方向に連通させる連通部とされているものである。
【００２７】
請求項５記載の太陽電池モジュール付き屋根の構造にあっては、請求項１〜４のいずれかに記載の発明と同様の効果を得ることができるとともに、断面視凹状の保守点検作業用通路２０の両側の立ち上がり部２４，２４の内側面２４ａ，２４ａに滑り止め用の軸材２５…が、該保守点検作業用通路２０の長手方向に所定間隔で複数掛け渡されているので、作業者が前記太陽電池モジュール５の保守点検作業を行うために前記保守点検作業用通路２０を通行する際や前記作業を行う際に、足を前記軸材２５に引っかけることができ、安全に通行したり、保守点検作業を行うことができる。また、これら軸材２５に作業に用いる道具などを引っかけておくことができる。さらに、屋根勾配が大きい場合でも、前記軸材２５に足をかけたり、また、前記保守点検作業用通路上で移動する際に、握持して安全に移動することができる。
【００２８】
さらに、前記軸材２５Ａにロープ２７などの一端を巻回することによって、該ロープの他端を作業者につなげることにより命綱として用いたり、他端を握持したりすることにより安全に作業を行うことができるようになる。これらによってより好適に太陽電池モジュールの保守点検作業を行うことができる。例えば、軸材２５Ａにロープ２７の一端を巻回し、該ロープの他端が軒先付近、好ましくは軒先より外方に位置するように配置すれば、該ロープをたどって屋根、特に保守点検作業用通路に容易に上がることができる。
また、前記保守点検作業用通路２０は断面凹字状に形成されているので、屋根上を雨水が流れる際、流れる雨水が保守点検作業用通路２０に案内され、該保守点検作業用通路２０の凹状内、凹状の内側を流れる。したがって、前記保守点検作業用通路２０を排水路として用いることができる。
【００２９】
請求項６記載の発明は、請求項１〜５のいずれかに記載の太陽電池モジュール付き屋根の構造において、例えば、図６に示すように、太陽電池モジュール５０Ａの上面５０ａを構成している太陽電池保護板の表面には、その全面に渡って所定間隔で互いに平行な複数の突条５１…または所定間隔で形成された複数の突起が形成されているものである。
【００３０】
請求項６記載の太陽電池モジュール付き屋根の構造にあっては、請求項１〜５のいずれかに記載の発明と同様の効果を得ることができるとともに、前記太陽電池モジュール５０Ａの上面５０ａを構成している太陽電池保護板の表面には、前記複数の突条５１…または前記複数の突起が形成されているので、前記太陽電池モジュール５０Ｂの保守点検作業を行う場合に、作業者が前記複数の突条５１…または前記複数の突起に足をひっかけることができ、容易に前記太陽電池モジュール５０上を通行できる。
【００３１】
したがって、前記太陽電池モジュール５０…に沿って設けられた保守点検作業用通路７Ｃに加えて、太陽電池モジュール５０上も該太陽電池モジュールの保守点検作業用のスペースとして用いることができ、作業スペースが広くなるとともに、前記太陽電池モジュール上でも、安全に作業をおこなうことができる。
例えば、複数の太陽電池モジュール５０…が設けられた屋根１４では、作業者が乗っている太陽電池モジュール５０Ａに隣接して配設されている太陽電池モジュール５０Ｂの保守点検作業を行う場合、作業者が乗っている太陽電池モジュール５０Ａ以外の太陽電池モジュール５０Ｂの保守点検作業を作業者が乗っている前記太陽電池モジュール５０Ａで行うことができる。
【００３７】
請求項７の発明は、請求項１〜６のいずれかに記載の太陽電池モジュール付き屋根の構造において、例えば、図９に示すように、前記太陽電池モジュール５の上方には、横レール部６０が屋根の軒先と平行に設けられているものである。
【００３８】
この横レール部６０は、前記太陽電池モジュール５の上方に、屋根の軒先と平行に設けられていれば、どのように設けられていてもよい。例えば、横レール部６０の下部、つまり、該横レール部６０の下面と前記太陽電池モジュール５の表面との間に、棟側から軒先側に連通する連通部を形成してもよい。このように横レール部６０の下部に前記連通部が形成されていれば、この連通部を介して、前記太陽電池モジュール５上を流れる雨水や落ち葉などを屋根の上方（棟側）から下方（軒先側）に落下させることができる。
【００３９】
請求項７記載の太陽電池モジュール付き屋根の構造にあっては、請求項１〜６のいずれかに記載の発明と同様の効果に加えて、前記太陽電池モジュール５の上方には、横レール部６０が屋根の軒先と平行に設けられているので、前記太陽電池モジュール５上でものを落下させても、前記横レール部６０によって係止されることになり、屋根の下に落ちにくくなる。つまり、太陽電池モジュール５の保守点検作業中に、保守点検を行う際に用いる道具を落としても屋根の下には落ちにくくなる。また、この横レール部６０を握持したり、足を引っかけたり等して作業することができ、高所作業の容易化を図ることができる。さらに、寒冷地などで用いられた場合、前記横レール部６０は雪止めとなる。
【００４０】
なお、この横レール部６０は何処に設けられていてもよく、例えば、屋根の軒先部分に、該軒先に沿って設けられていてもよい。
【００４１】
請求項８記載の発明は、請求項１〜７のいずれかに記載の太陽電池モジュール付き屋根の構造において、例えば、図１１に示すように、前記屋根部３には、この屋根部３の棟側から軒先側に向けて屋根勾配が付けられており、前記複数の太陽電池モジュール５Ａ，５Ｂは棟方向に複数並べて配設されており、棟方向に隣り合う太陽電池モジュール５Ａ，５Ｂの間には、これら隣り合う太陽電池モジュール５Ａ，５Ｂどうしを接続する接続レール部８５が前記屋根勾配に沿うように設けられており、この接続レール部８５の表面８５ａには、その全面に渡って凸部８９…が形成されているものである。
【００４２】
請求項８記載の太陽電池モジュール付き屋根の構造にあっては、前記屋根勾配が付けられた屋根部３の上面３１で棟方向に隣り合うように設けられている太陽電池モジュール５Ａ，５Ｂの間には、これら太陽電池モジュール５Ａ，５Ｂを接続する接続レール部８５が設けられ、この接続レール部８５の表面８５ａの全面に渡って凸部８９…が形成されているので、屋根において太陽電池モジュール５（５Ａ，５Ｂ）の保守・点検作業を行う際、前記凸部８９…が作業者の滑り止めとなる。したがって、太陽電池モジュール５（５Ａ，５Ｂ）の保守・点検作業者は接続レール部８５上を移動可能となり、太陽電池モジュール５（５Ａ，５Ｂ）の保守点検作業を安全に行うことができる。
【００４３】
【発明の実施の形態】
以下に、本発明に係る太陽電池モジュール付き屋根の構造の各実施の形態例を図１から図１１に基づいて説明する。なお、本発明に係る太陽電池モジュール付き屋根の形態はどのような形態の屋根でもよいが、以下の各実施の形態における太陽電池モジュール付き屋根は切り妻屋根として説明する。
【００４４】
＜第１の実施の形態＞
図１は本発明を適用した太陽電池モジュール付き屋根の構造の第１の実施の形態を示す太陽電池モジュール付き屋根の斜視図、図２は図１における太陽電池モジュールの保守点検作業用通路の部分拡大斜視図である。
【００４５】
図１及び図２に示すように、この太陽電池モジュール付き屋根１は、建物本体２の上に屋根パネルを複数傾斜させて敷設することにより形成された屋根部３と、この屋根部３の上面３１上に設けられ、屋根１の棟側から軒先側に向けて、屋根部３の上面３１の勾配方向に沿って並べられた複数の太陽電池モジュール５…と、棟方向に隣接する太陽電池モジュール５…に両側で隣接し、かつ棟側から軒先側に下がる屋根勾配に沿って配設された保守点検作業用通路７…とから概略構成されている。
なお、前記屋根パネルは、芯材を矩形枠状に組み立てるとともに、この矩形枠の内部に補強用の芯材を縦横に組み付けて枠体を構成し、この枠体の一方の面に合板などの面材が貼着されてなるものであり、図示省略する。
【００４６】
太陽電池モジュール５は、太陽電池（ソーラーセル）の両面に強化ガラスやポリカーボネイト樹脂などからなる矩形の透明板（上面のを特に保護板という。）でラミネートして保護し、耐候性を持たせて構成されているものである。そして、最小単位としてのモジュールサイズ（１モジュール×１モジュール）に構成されているものであり（例えば、１モジュールを９１０ｍｍ）、図ではその詳細な構造は省略し板状の部材として図示している。
【００４７】
屋根部３の上面３１には棟側から軒先側に下がる屋根勾配が付けられており、この屋根部３の上面３１において、太陽電池モジュール５は、図１および図２に示すように、軒先側から棟側に向けて屋根勾配に沿うように並べることで、太陽電池モジュールの列Ｒを構成し、この太陽電池モジュールの列Ｒは棟の延在方向に所定間隔をあけて複数配設された状態となっている。
これら太陽電池モジュール５…が構成している太陽電池モジュールの列Ｒは、両側端部５ａ，５ａのうち一方が接続レール部８、他方が保守点検作業用通路７の有する支持レール９（９Ａ）によって支持固定されている。
【００４８】
つまり、この実施の形態の太陽電池モジュール５…の列Ｒは、屋根の有する保守点検作業用通路７…間に棟方向に２列ずつ配置され、これら太陽電池モジュールの列Ｒを構成する太陽電池モジュール５…は、それぞれ、該太陽電池モジュール５…間に介在している接続レール部８と、保守点検作業用通路７の支持レール９とで左右両側から挟持された状態で支持されている。
【００４９】
接続レール部８は、図２に示すように、棟の延在方向に連続して並べられている太陽電池モジュール５…どうしを接合し、これら太陽電池モジュール５…を屋根部３の上面３１に固定している。
この接続レール部８は、屋根部３の上面３１に固定される固定部８１と、この固定部８１に該固定部８１の上方に設けられ、かつ接続レール部８の両側に位置する太陽電池モジュール５，５の側端部５ａ、５ａをそれぞれ支持する支持部８２とを有し、棟の延在方向と直交する方向（ここでは屋根勾配方向）に延在するように配設されている。
支持部８２は、内部に太陽電池モジュール５の側端部５ａが内挿される断面コ字状の内挿部８２ａ，８２ａを備え、これら内挿部８２ａ，８２ａが互いに逆方向に開口するように配置された構成となっているものである。
【００５０】
また、支持レール９，９Ａは、屋根の勾配方向に延在する保守点検作業用通路７の長手方向に沿う両側縁部（両縁部）７ｂ，７ｃのそれぞれに、長手方向に連続して設けられており、保守点検作業用通路７に隣接する太陽電池モジュール５…の側端部５ａを内挿して、該太陽電池モジュール５の側端部５ａを支持固定する支持部９０を有している。
【００５１】
次に、この支持レール９，９Ａを該支持レール９，９Ａを備えた保守点検作業用通路７の説明とともに説明する。なお、支持レール９Ａは支持レール９と同様の構成であり、支持レール９と対称となるように配設されているものであるので、支持レール９のみ説明し、支持レール９Ａの説明は省略する。
保守点検作業用通路７は太陽電池モジュール５…の保守点検作業を行う際に作業者が通行するためのものであり、棟側から軒先側に延在する底板部７１と、該底板部７１の両側縁部に接合されている支持レール９，９Ａとから概略構成され、これら底板部７１の表面７１ａと支持レール９，９Ａの対向する内側面とで凹状に形成され、この凹部内における底板部７１の表面７１ａ上を作業者が通行可能となるようになっている。
【００５２】
底板部７１の表面７１ａには、傾斜して所定間隔を開けて上方に突出した複数の突条（凸部）７２…が設けられている。
この底板部７１の幅は、太陽電池モジュール５の保守点検作業を行う作業者がこの底板部７１上を十分歩ける幅を有するように構成されており、該底板部７１上を作業者が移動する際に突条７２…が滑り止めとなり、図に示す屋根のように屋根勾配があっても、保守点検作業用通路７上を安全に通行することができ、この保守点検作業用通路７から太陽電池モジュール５…の保守点検作業を行うことができる。
この底板部７１の両側に接合されている支持レール９，９Ａは、それぞれ保守点検作業用通路７の側壁部を構成し、底板部７１を挟んで、支持部９０の開口部が外側に向くように左右対称に配置されている。
【００５３】
支持レール９（９Ａ）の支持部９０の開口部と、接続レール部８の内挿部８２ａに太陽電池モジュール５の側端部５ａが内挿されることにより、太陽電池モジュール５は、屋根部３の上面３１から所定間隔開けて、且つ上面３１に沿った位置で支持された状態となっている。
また、底板部７１の両縁部７１ｂ，７１ｃのそれぞれに設けられている支持レール９，９Ａの支持部９０，９０と、それぞれの外方に配置されている接続レール部８の内挿部８２ａとは互いに対向した状態となっており、互いの開口部分が同じ高さに位置し、これらに挟持された複数の太陽電池モジュールはほぼ面一となっている。
【００５４】
上記実施の形態における太陽電池モジュール付き屋根１の構造によれば、屋根部３の上面３１に沿って複数設けられた太陽電池モジュール５…間に保守点検作業用通路７が配設されているので、太陽電池モジュール５の保守や点検作業を行う場合、保守点検作業用通路７を太陽電池モジュール５の保守点検作業者が通行でき、保守点検作業用通路７から容易に、該保守点検作業用通路７の両側に位置する太陽電池モジュール５…の保守点検作業を行うことができる。したがって、１つの保守点検作業用通路７で複数の太陽電池モジュール５…の保守点検作業を行うことができ、複数の太陽電池モジュール５…の保守点検作業が簡易化し、該作業の迅速化を図ることができる。
また、従来と異なり、例えば、踏み板を太陽電池モジュール上方に配置するといった手間がかかることがなく、予め屋根部３上面３１に設けられた保守点検作業用通路７に上がるだけで簡便に、かつ直ぐに太陽電池モジュール５の保守点検作業を行うことができる。
【００５５】
加えて、複数の太陽電池モジュール５…を屋根部３の上面３１に軒先側から棟側に向けて屋根勾配に沿うように並べることで構成された太陽電池モジュールの列Ｒが棟方向に所定間隔をあけて複数配設され、保守点検作業用通路７が屋根勾配に沿うように、かつ、これら太陽電池モジュールの列Ｒ…間に挟まれた状態で設けられているので、屋根上で複数の太陽電池モジュール５…の保守点検作業を行うに際し、屋根において一番低い位置にある、軒先部分から保守点検作業用通路７…へ容易に上がることができる。
よって、太陽電池モジュール５…の保守点検作業を行う際、作業者は軒先から保守点検作業用通路７に容易に上がって太陽電池モジュール５…の保守点検作業を簡便に行うことができる。
【００５６】
さらにまた、保守点検作業用通路７の長手方向に沿う縁部７１ｂ，７１ｃには、保守点検作業用通路７に隣接する太陽電池モジュール５…が支持される支持レール９，９Ａが長手方向に連続的に設けられているので、支持レール９，９Ａにより複数の太陽電池モジュール５…を固定支持することができるとともに、支持レール９，９Ａによって該太陽電池モジュール５…と保守点検作業用通路７とが仕切られることになり屋根部３における太陽電池モジュール５の納まりがよい。そしてまた、意匠的にすっきりした太陽電池モジュール付き屋根となる。
また、屋根部３に太陽電池モジュール５…を取り付ける際に、先に保守点検作業用通路７を設置すれば、支持レール９，９Ａが太陽電池モジュール５…の位置決め部材となり、屋根の構造を形成し易い。
【００５７】
また、保守点検作業用通路７の表面７１ａには、その全面に渡って突条７２…が形成されているので、突条７２…が保守点検作業用通路７を通行する際の滑り止めとなり、作業者が突条７２…に足をかけることにより足を滑らすことがなく、安全に作業を行うことができるとともに、保守点検作業用通路７で、道具等を用いて太陽電池モジュール５の保守点検作業を行う場合、道具を誤って落としても、突条７２…に係止されることが生じ、屋根の下には落ちにくくなる。したがって、突条７２…に係止された道具などを拾って直ぐに作業の再開を行うことができる。
【００５８】
このように太陽電池モジュール５…と保守点検作業用通路７とが設けられている屋根において、保守点検作業用通路の別の形態例を以下に変形例として示す。
【００５９】
＜変形例＞
図３は、保守点検作業用通路を備えた太陽電池モジュール付き屋根において、保守点検作業用通路を構成する底板部の表面形状の変形例を示す図である。
なお、この保守点検作業用通路７Ａの表面形状以外の屋根の構成は上述したものと同様に構成されているので、保守点検作業用通路７Ａの表面形状の説明のみ行い、屋根部３、太陽電池モジュール５、太陽電池モジュール５を支持固定する支持レール９，９（９Ａ，９Ｂ）および接続レール部８といった他の構成の説明は省略する。
【００６０】
この図３に示す屋根１２は、屋根パネルにより構成された屋根部３と、屋根部３の上面３１に配設された複数の太陽電池モジュール５…と、これら太陽電池モジュール５の保守点検作業を行うための作業スペースとなる保守点検作業用通路７Ａと、接続レール部８および支持レール９，９Ａとを備え、保守点検作業用通路７Ａの底板部７８の表面７８ａには、底板部７８の延在方向に、上方に突出し、かつ平面視山形形状となるように中央部が上方に折曲された山形凸部７９…が複数、所定間隔を開けて保守点検作業用通路７Ａの長手方向に形成されている。また、この山形凸部７９の両端部は、保守点検作業用通路７Ａの側壁部の内側面（支持レールの内側面）と離間しており、山形凸部７９の端部と側壁部の内側面との間には隙間７９ａが形成されるように構成されている。
【００６１】
これら山形凸部７９…は保守点検作業用通路７Ａにおける太陽電池モジュール５の保守点検作業の際の作業者の滑り止めとなっており、作業者が保守点検作業を行う際、この山形凸部７９…に足をかけて保守点検作業用通路７Ａを通行することができ、該保守点検作業用通路７Ａから太陽電池モジュール５…の保守点検作業を安全に行うことができる。
【００６２】
屋根１２の棟側に山形状に形成された保守点検作業用通路７Ａの山形凸部７９…は、その両端側に形成されている隙間７９ａ，７９ａにより、例えば、雨が降り底板部７８の表面７８ａ上を雨水が流れて保守点検作業用通路７Ａが屋根１２の排水路として機能する場合でも、隙間７９ａ…から下方に雨水が流れる。
したがって、上方から雨水等の水が流れて山形凸部７９…の山形部分に水が溜まることがなく、円滑に下方に流れて排水されることになる。
【００６３】
なお、上記実施の形態における突条７２および山形凸部７９は、保守点検作業用通路７，７Ａを通行する太陽電池モジュールの保守点検作業者の滑り止めとなるように構成されていれば、底板部７１，７８の表面７１ａ，７８ａのそれぞれにどのように形成されてもよい。例えば、図４に示すように、それぞれの底板部７１，７８の表面７１ａ，７８ａをエンボス加工して形成してもよい。
【００６４】
＜第２の実施の形態＞
図５は本発明を適用した太陽電池モジュール付き屋根の構造の第２の実施の形態を示す図であり、（ａ）は第２の実施の形態の太陽電池モジュール付き屋根の斜視図、（ｂ）は（ａ）における保守点検作業用通路を説明する軒先側の保守点検作業用通路の部分拡大斜視図である。
なお、この実施の形態における屋根１３は、保守点検作業用通路２０の構成のみ異なり、その他の構成は上述した屋根１１，１２などに用いられたものと同様の構成部材で構成されている。よって、上述した第１の実施の形態のものと同様の構成には同符号、同名称を付して説明は省略する。
【００６５】
図５（ａ）に示すように、この屋根１３では、太陽電池モジュール５間に配設される保守点検作業用通路２０が屋根の勾配方向に互いに平行に所定間隔を開けて４本配設され、これら保守点検作業用通路２０間に太陽電池モジュール５…が、棟の延在方向に２枚、屋根勾配方向に５枚並べて設けられている。
【００６６】
この屋根の備える保守点検作業用通路２０は、上述した保守点検作業用通路７，７Ａと同様に断面視凹状に形成され、屋根勾配に沿って延在する底板部２１と、該底板部２１の両縁部２１ａ，２１ｂに該底板部２１から上方に突出するように接合され、外側で太陽電池モジュール５の側端部５ａが内挿される断面コ字状の支持部２２ａをそれぞれ有する支持レール２２，２２Ａとを備えている。
【００６７】
底板部２１の表面２１ｃには、全面に渡って所定間隔をあけて複数の突起部（凸部）２８…が設けられている。
これら突起部２８は、上述した第１の実施の形態の突条７２および山形凸部７９と同様に、保守点検作業用通路２０を通行する太陽電池モジュール保守点検作業者の滑り止めとなり、通行が容易となり保守点検作業用通路２０における太陽電池モジュール５の保守点検作業も行い易い。特に、本実施の形態のように太陽電池モジュール及び保守点検作業用通路が設けられた屋根に勾配が付けられていても、安全にその作業を行うことができる。
【００６８】
支持レール２２，２２Ａは、それぞれの内側面が底板部２１の上面とで凹状となるように、底板部２１の両縁部２１ａ，２１ｂからそれぞれ鉛直に立ち上がるように設けられ、凹状の保守点検作業用通路２０内の対向する内側面２４ａ，２４ａを有する立ち上がり部２４，２４を備えており、これらの互いに対向する内側面２４ａ，２４ａ間には、滑り止め用の軸材２５…が複数所定間隔をあけて互いに平行に保守点検作業用通路２０の長手方向に掛け渡されている。
【００６９】
これら複数の軸材２５…のうちの一部（この実施の形態では軒側の一番端に取り付けられた軸材）２５Ａには、所定の長さのロープ２７の一端部２７ａが巻回されている。このようにロープ２７の一端部２７ａが軸材２５Ａに巻回されていることにより、保守点検作業用通路２０で太陽電池モジュール５…の保守点検作業を行う際に、ロープ２７の他端部２７ｂを握持しながら作業をおこなうことができ、作業中ロープ２７を命綱として用い、太陽電池モジュール５…が勾配屋根に設けられている場合においても、より安全に屋根で太陽電池モジュール５…の保守点検作業を行うことができる。
【００７０】
また、ロープ２７を握持することができ、これにより、例えば、作業者が屋根の保守点検作業用通路２０に上がる際に、ロープ２７を伝って容易に上がることができる。また、作業者はロープ２７を握持しながら保守点検作業を行うことができ、安全に作業を行える。
この実施の形態では、保守点検作業用通路２０に突起部２８および軸材２５とが設けられているので、太陽電池モジュール保守点検作業者は、より安全に保守点検作業を行うことができる。
【００７１】
＜第３の実施の形態＞
図６を用いて本発明に係る太陽電池モジュール付き屋根の構造の第３の実施の形態を説明する。
図６は第３の実施の形態の太陽電池モジュール付き屋根の軒先の部分拡大斜視図である。
この図においては、上述した第１の実施の形態のように保守点検作業用通路および太陽電池モジュールを備えた屋根において、滑り止めとなる凸部（以下、突条５１という）が、保守点検作業用通路を構成する底板部の表面に加えて、太陽電池モジュールの太陽電池を保護する保護板に設けられた屋根の構造を示している。よって、上述した第１の実施の形態のものと同様の構成には同符号、同名称を付して説明は省略する。なお、図中、３は屋根部、３１は屋根部の上面、８２は上述した接続レール部である。
【００７２】
つまり、この実施の形態における屋根１４は、太陽電池モジュール５０以外の構成は上述した第１の実施の形態の太陽電池モジュール付き屋根と同様に構成されており、屋根部３の上面３１に設けられ、太陽電池モジュール５０の保守点検作業の際に作業者が通行するための保守点検作業用通路７と、上面３１に棟側から軒先側に向けて屋根勾配が付けられた屋根部３の上面３１に沿って複数設けられた太陽電池モジュール５０…とを有している。
【００７３】
太陽電池モジュール５０は、太陽電池（ソーラーセル）の両面に強化ガラスやポリカーボネイト樹脂などからなる矩形の透明板（上面のを特に保護板という。）でラミネートして保護し、耐候性を持たせて構成され、第１の実施の形態の太陽電池モジュール５と表面形状のみ異なる構成のものである。
さらに、その設置構造も屋根部３の上面３１に設置された太陽電池モジュール５と同様であるので説明は省略する。
【００７４】
この実施の形態の屋根１４の備える太陽電池モジュール５０の表面５０ａを構成している保護板（ガラス板）に所定間隔を開けて互いに平行な突条（凸部）５１…が上方に突出するように形成されている。
この突条５１は、それぞれ一方の端部が下側に傾斜するように形成され、埃や水が溜まりにくくなっている。また、突条５１の両端部のうち支持レール部や接続レール部側の端部と、保守点検作業用通路の縁部の支持レール（９Ａや９Ｂ）や接続レール部８との間には隙間５２が形成され、この隙間５２で太陽電池モジュール５０の表面５０ａは上部に形成された突条５１に切られることなく上下方向に繋がった状態となり、、雨水や埃等がこの隙間５２から下方に流れ易くなっている。
【００７５】
上述したように屋根１４における太陽電池モジュール５０…の表面５０ａには滑り止めとなる突条５１…が設けられているので、太陽電池モジュール５０上を作業者は移動することができる。
よって、太陽電池モジュール５０（例えば、図６において太陽電池モジュール５０Ａ）の保守点検作業を行う場合、保守点検される太陽電池モジュール５０Ａに隣接する保守点検作業用通路７Ｃ以外の、周囲の太陽電池モジュール（例えば図６において太陽電池モジュール５０Ａに隣接している太陽電池モジュール５０Ｂや、接続レール部８を介して接続されている５０Ｃや５０Ｄ）からでも、隣接する太陽電池モジュールの保守点検作業をおこなうことができる。
【００７６】
したがって、屋根１４において太陽電池モジュール５０…の保守点検を行う作業スペースが広がることになり、その作業し易くなる。また、作業スペースが広がることにより、より安全に作業を行うことができる。
また、太陽電池モジュールの太陽電池保護板の表面５０ａに複数の突条５１…が設けられ、該表面５０ａが均一でなくなっているので、この表面５０ａからの反射光が一箇所に集中することがなくなり、この実施の形態の太陽電池モジュール付き屋根の構造を備えた構築物の近隣において一箇所に集中して反射光が当たることがなくなる。
【００７７】
なお、図７に示すように太陽電池モジュール５５に設けられる滑り止めとなる突条（凸部）５１を、該太陽電池モジュールの表面をエンボス加工することにより形成してもよい。図中、５７は太陽電池モジュール５５の表面を構成する保護板、５８は太陽電池、５９は太陽電池５８の下側を保護している保護板である。すなわち、太陽電池モジュール５５では、太陽電池の上面に取り付けられ該太陽電池をラミネート保護している保護板の上面にエンボス加工により形成された突条（凸部）５６…が所定間隔を開けて互いに平行となるように形成されている。このような構成の作用効果は、上述したものと同様であるので省略する。
【００７８】
なお、このように滑り止めとなる突条（凸部）５１…やエンボス加工により形成された凸部５６…を表面に有する太陽電池モジュール５０，５５は、上述した第２の実施の形態における屋根構造に適用してもよい。
つまり、屋根が、軸材２５を複数備えた第２の実施の形態の保守点検作業用通路７Ａとともに、太陽電池モジュール５に替えて配置された滑り止め付き太陽電池モジュール５０あるいは太陽電池モジュール５５を備えた構成である。
このように構成されていれば、第２の実施の形態の効果と同様の効果を得ることができるとともに、第３の実施の形態の効果である、太陽電池モジュール上を該太陽電池モジュールの保守点検作業用のスペースとして用いることができ、該作業スペースが広がり、作業の安全および簡易化を図ることができ、作業の効率化を達成することができる。
【００７９】
ところで、このように表面に滑り止めとなる突条（凸部）５１…やエンボス加工により形成された凸部５６…を有する太陽電池モジュール５０，５５は、保守点検作業用通路７，７Ａ，２０を有しない太陽電池モジュール付き屋根に用いてもよい。その構造を第４の実施の形態として説明する。
【００８０】
＜第４の実施の形態＞
図８は本発明を適用した太陽電池モジュール付き屋根の構造の第４の実施の形態を説明する屋根の部分拡大斜視図である。
この図に示すように、第４の実施の形態における屋根１５は、上述した各実施の形態と同様に構成された屋根部３と、該屋根部３の上面３１に、複数敷設された太陽電池モジュール５０…とを有している。これら太陽電池モジュール５０…は、屋根部３の上面３１に、棟側から軒先側に向かって屋根勾配に沿って列を形成するように配設されており、この列が棟方向に複数設けられ、屋根１５の全面に渡って配設され屋根１５の屋根面１５ａを形成している。
棟方向に配設されている太陽電池モジュール５０…の列どうしは、各実施の形態で用いている接続レール部８によって接続されている。この接続レール部８の構成の説明は省略する。
【００８１】
このように、屋根面１５ａを形成するように設けられた複数の太陽電池モジュール５０を備えた屋根１５の構造によれば、太陽電池モジュール５０の表面５０ａには滑り止めとなる複数の突条５１…が形成されているので、太陽電池モジュール５０上を作業者は移動することができる。
よって、屋根１５の太陽電池モジュール５０の保守点検作業を行う際に、保守点検が行われる太陽電池モジュール５０付近の太陽電池モジュールの上面に上がって、太陽電池モジュールの保守点検作業を行うことができる。
【００８２】
また、上述した第１〜４の実施の形態の太陽電池モジュール付き屋根の構造において、屋根部に設けられた太陽電池モジュールの上方に屋根の軒先と平行に横レール部を設けても良い。このような構造を以下で第５の実施の形態として説明する。
【００８３】
＜第５の実施の形態＞
図９は、本発明に係る太陽電池モジュール付き屋根の第５の実施の形態を示す図であり、太陽電池モジュールを備えた屋根に、上面を太陽電池モジュールの表面より上方に突出された状態で横レール部が取り付けられている屋根の部分拡大斜視図である。なお、この実施の形態における太陽電池モジュール付き屋根は、横レール部６０に関する構成以外は、上述した第１の実施の形態における太陽電池モジュール付き屋根の構造とほぼ同様の構成であり、詳細な説明は省略する。
【００８４】
この横レール部６０を備えた屋根１６は、上述した各実施の形態と同様に形成された屋根部３と、この屋根部３の勾配が付けられた上面３１に沿って配設された複数の太陽電池モジュール５…と、これら太陽電池モジュール５…の保守点検作業を行うために設けられた保守点検作業用通路７Ｄと、太陽電池モジュール５…の上方で屋根の軒先と平行に設けられた横レール部６０（６０Ａ〜６０Ｆ）とを備え、保守点検作業用通路７Ｄは屋根勾配に沿って配設された太陽電池モジュール５…に隣接している。
【００８５】
この図に示されている太陽電池モジュール５…は、第１の実施の形態のものと同様のものであり、配置個所が異なる以外全て同様に構成されているものであるが、図中では便宜上太陽電池モジュール５をそれぞれ５Ａ〜５Ｆの符号を付して説明する。
【００８６】
太陽電池モジュール５Ａ，５Ｂは、その一端部を保守点検作業用通路７Ｄの支持部９Ｂに接合することにより、該保守点検作業用通路７Ｄに支持されている。なお、これら太陽電池モジュール５Ａ，５Ｂの他端部は図示しないが、後述する接続レール部８Ａと同様の構成の接続レール部に接続され支持されている。  太陽電池モジュール５Ｃ，５Ｄは、それぞれ両側から支持レール部９Ｃおよび接続レール部８Ａとで支持固定されているものである。
太陽電池モジュール５Ｅ，５Ｆは接続レール部８Ａと図示しない保守点検作業用通路の左側の支持レール部とにより支持されている。
【００８７】
図示する支持レール部９Ｂ，９Ｃは、その表面に横レール部６０を支持する横レール支持部９１，９２が設けられている構成以外、それぞれ上述した支持レール部９，９Ａの構成と同様の構成である。つまり、支持レール部９Ｂ，９Ｃは、保守点検作業用通路７Ｄを構成しているものである。
また、接続レール部８Ａは表面に横レール部６０を支持する横レール支持部９３が設けられている以外、上述した接続レール部８と同様の構成であるので、異なる構成の説明のみ行い、その他の構成の説明は省略する。
【００８８】
保守点検作業用通路７Ｄの表面７１Ａには、第１の実施の形態の保守点検作業用通路と同様に、太陽電池モジュール保守点検作業を行う作業者の滑り止めとなる突条７２Ａが複数形成されている。
この保守点検作業用通路７Ｄの左側に設けられている支持レール部９Ｂの上面には、その延在方向に、つまり屋根の勾配方向に所定間隔をあけて、横レール部６０Ａ，６０Ｄの端部が接合されている支持部９１，９１が設けられている。
また、保守点検作業用通路７Ｄの右側に設けられている支持レール部９Ｃの上面には、その延在方向に、つまり屋根の勾配方向に所定間隔をあけて、横レール部６０Ｂ，６０Ｅの端部が接合されている支持部９２，９２が設けられている。
【００８９】
横レール部６０…のうち、横レール部６０Ａ，６０Ｄは、保守点検作業用通路７Ｄの図中左側に隣接して配置されている太陽電池モジュール５Ｂ，５Ａの上方で軒先と平行に配置され、横レール部６０Ｂ，６０Ｅは、保守点検作業用通路７Ｄの図中右側に隣接して配置されている太陽電池モジュール５Ｄ，５Ｃの上方で軒先と平行に配置されている。
これら横レール部６０のうち横レール部６０Ａ，６０Ｂ，６０Ｃは、屋根部３の上面３１Ａに、該屋根３の軒先に沿って棟方向に延在するように、支持レール部９Ｂ，９Ｃや接続レール部８Ａに横レール支持部９１，９２，９３…を介して取り付けられている。
【００９０】
全体を図示しないが、ここでは、屋根１６の妻側から妻側に渡って複数取り付けられた状態となっている。
また、これら横レール部は、上面６１が太陽電池モジュール５の表面５ｃより上方に位置するように取り付けられ、下面６２と太陽電池モジュール５の表面５ｃとの間には棟側から軒先側に連通する連通部１００が形成されている。
この連通部１００によって、太陽電池モジュール５上を流れる水や、太陽電池モジュール上面に溜まった落ち葉などが下方に落ちるようになっている。
【００９１】
このように太陽電池モジュール５（５Ｂ〜５Ｅ）が設けられた屋根１６の軒先に、太陽電池モジュール５の表面５ｃの上方に、横レール部６０（６０Ａ〜６０Ｆ）が設けられているので、屋根１６において太陽電池モジュール５（５Ｂ〜５Ｅ）の保守点検作業に道具を用いて行った際に、太陽電池モジュール５の上方で道具を作業中に落としたりしても、落とした道具等は横レール部６０に係止され、屋根から落ちにくくなる。
よって、屋根から落ちて、それを拾いに行く際に屋根１６から降りる必要がなく、屋根１６上で拾ってすぐに作業を再開することができる。
【００９２】
なお、上述したような各実施の形態における太陽電池モジュール付き屋根の構造では、太陽電池モジュール付き屋根が保守点検作業用通路を備えていれば、どのように構成されていてもよく、例えば、図１０の（ａ）、（ｂ）に示すような構成としてもよい。
【００９３】
図１０（ａ）は、複数の太陽電池モジュールおよび保守点検作業用通路を備えた勾配屋根において、複数の太陽電池モジュールと保守点検作業用通路が棟方向に交互に並べて配設された状態を示す太陽電池モジュール付き屋根の斜視図、（ｂ）は、複数の太陽電池モジュールおよび保守点検作業用通路を備えた勾配屋根において、複数の太陽電池モジュールと保守点検作業用通路が勾配方向に交互に並べて配設された状態を示す太陽電池モジュール付き屋根の斜視図である。
なお、図１０における太陽電池モジュールおよび保守点検作業用通路の構成は各実施の形態で説明したものと同様の構成のものを適用するものであり、符号を太陽電池モジュールにはＴを、保守点検作業用通路にはＨを付す。
【００９４】
図１０（ａ）における太陽電池モジュールＴ…は、妻側から屋根勾配方向に５枚ずつ並べて太陽電池モジュールの列Ｒ１を構成し、この列Ｒ１を棟方向に複数平行に並べ、それぞれの列Ｒ１…の間に保守点検作業用通路Ｈが挟まれた状態で設けられているものである。ここでは太陽電池モジュールＴの列Ｒ１が５列、太陽電池モジュールＴの列Ｒ１間に挟まれた保守点検作業用通路Ｈが４列設けられている。
【００９５】
図１０（ｂ）の太陽電池モジュール付き屋根の構造は、屋根の妻側両端部に、それぞれの妻側端部に沿って勾配方向に保守点検作業用通路Ｈ１，Ｈ１を配設し、これら保守点検作業用通路Ｈ１，Ｈ１の間に、直交する方向に複数の太陽電池モジュールＴ１…を互いに隣接するようにして並べ、このように配置された太陽電池モジュールＴ１…の列Ｒ２を互いに平行に所定間隔をあけて棟側から軒先側に向けて複数設けられ、これら列Ｒ２…間には、両端部を両妻側に配設された保守点検作業用通路Ｈ１，Ｈ１にそれぞれ接するように、保守点検作業用通路Ｈ２…が配設されている。図１０（ｂ）では、屋根部の上面で棟方向に太陽電池モジュールが７枚並べて形成された太陽電池モジュールの列が複数配設され、これら列間に保守点検作業用通路が配設されている。
【００９６】
このように構成されている太陽電池モジュール付き屋根１７，１８の構造においては、それぞれの太陽電池モジュールＴ，Ｔ１を備えた屋根１７，１８において、保守点検作業用通路Ｈ，Ｈ１，Ｈ２が延在する方向に、太陽電池モジュールＴ，Ｔ１の保守点検作業者が移動可能となり、勾配屋根においてもその作業を容易に行うことができる。
【００９７】
＜第６の実施の形態＞
図１１は、本発明に係る太陽電池モジュール付き屋根の構造の第６の実施の形態を説明する軒先の部分斜視図である。なお、この屋根１９に設けられた太陽電池モジュールは上述した太陽電池モジュール５と同様の太陽電池モジュールを用いているので説明は省略する。
【００９８】
図１１に示す太陽電池モジュール付き屋根１９は、勾配が付けられている屋根部３と、該屋根部３の勾配が付けられた上面３１に、該上面３１に沿って複数敷設された太陽電池モジュール５…と、これら太陽電池モジュール５…の棟方向に隣接する太陽電池モジュール５…間に配設され、これら隣接する太陽電池モジュール５…のそれぞれを接続して固定し、かつ上面に滑り止めとなる凸部８９が複数形成されている滑り止め付き接続レール部８５…等とを有している。
【００９９】
これら太陽電池モジュール５…は、上述した太陽電池モジュール５と同様に屋根部３の上面３１に、棟側から軒先側に向かって屋根勾配に沿って列を形成するように配設されており、この列が棟方向に複数設けられ、それぞれの列間に配設された接続レール部８５によって支持されている。このように配設されている複数の太陽電池モジュールが屋根１５の全面に渡って配設され、屋根１５の屋根面１５ａを形成している。
【０１００】
また、滑り止め付き接続レール部８５は上述した接続レール部８と、その表面形状のみ異なり、その他の構成は同様である。
すなわち、滑り止め付き接続レール部８５は、図に示すように、棟の延在方向に連続して並べられている太陽電池モジュール５…どうしを接合し、これら太陽電池モジュール５…を屋根部３の上面３１に固定している。
【０１０１】
この滑り止め付き接続レール部８５は、屋根部３の上面３１に固定される固定部８６と、この固定部８６に該固定部８６の上方に設けられ、かつ接続レール部８５の両側に位置する太陽電池モジュール５，５の側端部５ａ、５ａをそれぞれ支持する支持部８７とを有し、棟方向と直交する方向に延在するように配設されている。
支持部８７は、上述した接続レール部８の固定部８１と同様に構成されており、内部に太陽電池モジュール５の側端部５ａが内挿される断面コ字状の内挿部８７ａ，８７ａを備え、これら内挿部８７ａ，８７ａが互いに逆方向に開口するように配置された構成となっているものである。また、固定部８６は、上述した接続レール部８の支持部８２と同様に構成されているものである。
このように構成されている接続レール部８５の表面８５ａには、上方に突出し、棟方向と平行に形成された突条（凸部）８９が所定間隔を空けて、該接続レール部８５の延在方向に互いに平行に設けられ、これらは屋根１８において太陽電池モジュールの保守点検を行う作業者の滑り止めとなる。
【０１０２】
上記屋根１９の構造によれば、太陽電池モジュール５をその両端部で支持する接続レール部８５の表面８５ａには滑り止めとなる複数の突条８９…が形成されているので、接続レール部８５上を作業者は移動することができる。
よって、屋根１８の太陽電池モジュール５…の保守点検作業を行う際に、保守点検が行われる太陽電池モジュール５付近の太陽電池モジュールの上面に上がって、太陽電池モジュールの保守点検作業を行うことができる。
なお、この第６の実施の形態では、太陽電池モジュール５の代わりに上述した太陽電池モジュール５０，５５を用いても良い。また、このような構成の屋根の構造に上述した各保守点検作業用通路７、７Ａ、２０等を併設してもよい。このような構成の場合、太陽電池モジュール、保守点検作業用通路、接続レール部が設けられる屋根部の上面に、接続レール部８Ａと各保守点検作業用通路７、７Ａ、２０とを所定間隔を空けて互い違いに設け、接続レール部８Ａと保守点検作業用通路７、７Ａ、２０との間に太陽電池モジュールを配置した構成等が考えられる。
【０１０３】
なお、以上の実施の形態例においては、屋根は切り妻屋根としたが、本発明はこれに限定されるものではなく、屋根の形状はどのような形状でもよい。
【０１０４】
【発明の効果】
以上のように、請求項１記載の発明に係る太陽電池モジュール付き屋根の構造によれば、屋根部の上面に、太陽電池モジュールとともに、前記保守点検作業用通路が設けられているので、前記太陽電池モジュールの保守や点検作業を行う場合、前記保守点検作業用通路を前記太陽電池モジュールの保守点検作業者が通行することにより前記保守点検作業用通路から容易に作業を行うことができ、前記太陽電池モジュールの保守点検作業を行う場合に、従来と異なり、例えば、踏み板を太陽電池モジュール上方に配置するといった手間がかかることがなく、予め屋根部の上面に設けられた前記保守点検作業用通路に上がるだけで簡便に、かつ直ぐに前記太陽電池モジュールの保守点検作業を行うことができる。
また、前記屋根部の上面に沿って複数設けられた太陽電池モジュール間に前記保守点検作業用通路が配設されているので、前記保守点検作業用通路において、該保守点検作業用通路の両側に位置する前記太陽電池モジュールの保守点検作業を行うことができる。したがって、前記保守点検作業用通路において両側の前記太陽電池モジュールの保守点検作業を行う際に、１つの保守点検作業用通路で複数の太陽電池モジュールの保守点検作業を行うことができ、複数の太陽電池モジュールの保守点検作業が簡易化し、該作業の迅速化を図ることができる。
さらに、前記保守点検作業用通路の長手方向に沿う縁部には、前記保守点検作業用通路に隣接する前記太陽電池モジュールが支持される支持レールが前記長手方向に連続的に設けられているので、前記支持レールにより前記太陽電池モジュールを該太陽電池モジュールの端部で固定支持することができるとともに、前記支持レールによって該太陽電池モジュールと前記保守点検作業用通路とが仕切られることになり太陽電池モジュールの納まりがよい。また、意匠的にすっきりした屋根となる。また、支持レールが前記保守点検作業用通路の長手方向に連続的に設けられているので、一度に複数の太陽電池モジュールの端部を支持することができる。さらに、前記屋根部に太陽電池モジュールを取り付ける際に、先に保守点検作業用通路を設置すれば、前記支持レールが前記太陽電池モジュールの位置決め部材となり、前記屋根の構造を形成し易い。
【０１０６】
請求項２記載の発明に係る太陽電池モジュール付き屋根の構造によれば、請求項１記載の発明と同様の効果を得ることができるとともに、前記複数の太陽電池モジュールを前記屋根部の上面に軒先側から棟側に向けて前記屋根勾配に沿うように並べることで構成された太陽電池モジュールの列が棟方向に所定間隔をあけて複数配設され、これら太陽電池モジュールの列間に挟まれた状態で、前記保守点検作業用通路が前記屋根勾配に沿うように設けられているので、屋根上で前記複数の太陽電池モジュールの保守点検作業を行うに際し、屋根において一番低い位置にある、軒先部分から前記保守点検作業用通路へ容易に上がり、前記太陽電池モジュールの保守点検作業を簡便に行うことができる。
【０１０８】
請求項３記載の発明に係る太陽電池モジュール付き屋根の構造によれば、請求項１または２に記載の発明と同様の効果を得ることができるとともに、前記保守点検作業用通路の表面には、その全面に渡って凸部が形成されているので、この保守点検作業用通路で作業者が前記太陽電池モジュールの保守点検作業を行う場合に、凸部が前記保守点検作業用通路を通行する際の滑り止めとなって、作業者が前記凸部に足をかけることにより足を滑らすことがなく、安全に作業を行うことができる。
【０１０９】
請求項４記載の発明に係る太陽電池モジュール付き屋根の構造によれば、請求項３に記載の発明と同様の効果を得ることができるとともに、前記保守点検作業用通路の表面に形成された凸部は、その全面に渡って形成された前記複数の突条あるいは所定間隔で形成された前記複数の突起であるので、前記保守点検作業用通路にて前記太陽電池モジュールの保守点検作業を行う場合、前記複数の突条７２…または複数の突起に作業者が足を容易に引っかけることができ、これらが滑り止めとなって安全に作業を行うことができるとともに、前記保守点検作業用通路が設けられている屋根に勾配が付けられていても安全に作業者は前記保守点検作業用通路を安全に通行して作業を行うことができる。
【０１１０】
また、前記保守点検作業用通路で、道具等を用いて太陽電池モジュールの保守点検作業を行う場合、道具を誤って落としても、前記突条または前記突起に係止されることになり屋根の下には落ちにくくなり、前記突条または前記突起に係止された道具などを拾って直ぐに作業の再開を行うことができる。
【０１１１】
請求項５記載の発明に係る太陽電池モジュール付き屋根の構造によれば、請求項１〜４のいずれかに記載の発明と同様の効果を得ることができるとともに、作業者が前記太陽電池モジュールの保守点検作業を行うために前記保守点検作業用通路を通行する際や前記作業を行う際に、足を前記軸材に引っかけることができ、安全に通行したり、保守点検作業を行うことができるとともに、これら軸材に作業に用いる道具などを引っかけておくことができる。さらに、屋根勾配が付けられていても前記軸材に足をかけたり、また、前記保守点検作業用通路上で移動する際に握持して安全に移動することができる。このように好適に前記太陽電池モジュールの保守点検作業を行うことができる。
【０１１２】
請求項６記載の発明に係る太陽電池モジュール付き屋根の構造によれば、請求項１〜５のいずれかに記載の発明と同様の効果を得ることができるとともに、前記太陽電池モジュールの保守点検作業を行う場合に、前記複数の突条または前記複数の突起は滑り止めとなり、滑り止めとなる突条または突起に足をひっかけることができ、容易に前記太陽電池モジュール上を通行でき、前記太陽電池モジュールに沿って設けられた保守点検作業用通路に加えて、太陽電池モジュール上も該太陽電池モジュールの保守点検作業用のスペースとして用いることができ、作業スペースが広くなるとともに、前記太陽電池モジュール上でも、安全に作業をおこなうことができる。また、複数の太陽電池モジュールが設けられた屋根では、作業者が乗っている太陽電池モジュールに隣接して配設されている太陽電池モジュールの保守点検作業を行う場合、作業者が乗っている太陽電池モジュール以外の太陽電池モジュールの保守点検作業を作業者が乗っている前記太陽電池モジュールから行うことができる。
【０１１４】
請求項７記載の発明に係る太陽電池モジュール付き屋根の構造によれば、請求項１〜６のいずれかに記載の発明と同様の効果を得ることができるとともに、棟側から軒先側に向けて屋根勾配が付けられた屋根部の上面に沿って設けられた複数の太陽電池モジュールの上方には、横レール部が屋根の軒先と平行に設けられているので、前記太陽電池モジュール上でものを落下させても、前記横レール部によって係止されることになり、屋根の下に落ちにくくなる。つまり、太陽電池モジュールの保守点検作業中に、保守点検を行う際に用いる道具を落としても屋根の下には落ちにくくなる。また、この横レール部を握持したり、足を引っかけたり等して作業することができ、高所作業の容易化を図ることができる。さらに、寒冷地などで用いられた場合、前記横レール部は雪止めとなる。
【０１１５】
請求項８記載の発明に係る太陽電池モジュール付き屋根の構造によれば、請求項１〜７のいずれかに記載の発明と同様の効果を得ることができるとともに、屋根において太陽電池モジュールの保守・点検作業を行う際、前記凸部が作業者の滑り止めとなり、太陽電池モジュールの保守・点検作業者は接続レール部上を移動可能となり、太陽電池モジュールの保守点検作業を安全に行うことができる。
【図面の簡単な説明】
【図１】本発明を適用した太陽電池モジュール付き屋根の構造の第１の実施の形態を示す太陽電池モジュール付き屋根の斜視図である。
【図２】図１における太陽電池モジュールの保守点検作業用通路の部分拡大斜視図である。
【図３】保守点検作業用通路を備えた太陽電池モジュール付き屋根において、保守点検作業用通路を構成する底板部の表面形状の変形例を示す図である。
【図４】保守点検作業用通路の表面の凸部をエンボス加工して形成した状態を示す底板部の断面図である。
【図５】本発明を適用した太陽電池モジュール付き屋根の構造の第２の実施の形態を示す図である。
【図６】本発明を適用した太陽電池モジュール付き屋根の構造の第３の実施の形態を説明する太陽電池モジュール付き屋根の軒先の部分拡大斜視図である。
【図７】太陽電池モジュール５５に設けられる滑り止めとなる突条（凸部）５１をエンボス加工することにより形成した太陽電池モジュールの断面図である。
【図８】本発明を適用した太陽電池モジュール付き屋根の構造の第４の実施の形態を説明する太陽電池モジュール付き屋根の軒先の部分拡大斜視図である。
【図９】本発明を適用した太陽電池モジュール付き屋根の構造の第５の実施の形態を示す太陽電池モジュール付き屋根の軒先の部分斜視図である。
【図１０】保守点検作業用通路の配置のバリエーションを示す太陽電池モジュール付き屋根の軒先の部分斜視図である。
【図１１】本発明を適用した太陽電池モジュール付き屋根の構造の第６の実施の形態を説明する太陽電池モジュール付き屋根の軒先の部分斜視図である。
【符号の説明】
１  屋根（太陽電池モジュール付き屋根）
３，３Ａ屋根部
５  太陽電池モジュール
５ｂ太陽電池モジュールの軒先側端部
５ｃ  太陽電池モジュールの表面
７，７Ａ，７Ｃ  保守点検作業用通路
９，９Ａ  支持レール部（支持レール）
１３  太陽電池モジュール付き屋根
１４  太陽電池モジュール付き屋根
１５  太陽電池モジュール付き屋根
１６  太陽電池モジュール付き屋根
１９  太陽電池モジュール付き屋根
２０  保守点検作業用通路
２４  立ち上がり部
２４ａ足り上がり部の内側面
２５  軸材
２８  突起部（突起）
３１  屋根部の上面
５０，５０Ａ，５０Ｂ，５０Ｃ，５０Ｄ，５０Ｆ，５０Ｇ  太陽電池モジュール
５０ａ太陽電池モジュールの上面
５１  突条（凸部）
６０  横レール部
６１  横レール部の上面
７１ａ保守点検作業用通路の表面
７２  突条（凸部）
８５  接続レール部
８５ａ  接続レール部の表面
８９  突条（凸部）
Ｒ，Ｒ１  太陽電池モジュールの列
【図１】
0004216391.tif 000002
【図２】
0004216391.tif 000003
【図３】
0004216391.tif 000004
【図４】
0004216391.tif 000005
【図５】
0004216391.tif 000006
【図６】
0004216391.tif 000007
【図７】
0004216391.tif 000008
【図８】
0004216391.tif 000009
【図９】
0004216391.tif 000010
【図１０】
0004216391.tif 000011
【図１１】
0004216391.tif 000012